(57)【要約】【課題】包装材の前側領域が上下方向に対して交差する方向を向くように包装体を配置することができる包装材を提供することを課題とする。【解決手段】一方向に延びる帯状に形成されると共に本体部の一方の面に重なるように配置されて幅方向の一端部が本体部に連結されることで本体部の一方の面から延出するように構成された帯状延出部を更に備えており、該帯状延出部は、本体部で物品を包み込む際に、長手方向の両端部よりも中央側の領域が物品の前記一方の面側に位置し、長手方向の両端部が物品の前記一方の面よりも前記他方の面側に位置するように構成されており、本体部は、物品を包み込む際に、帯状延出部と重なり合う領域が物品に沿って配置されて帯状延出部から離間するように構成される。【選択図】図３
2019119455.tif 000002
【特許請求の範囲】
【請求項１】
シート状に形成されて一方の面が外側となるように物品を包み込む本体部を備えており、物品における対向する一方の面側から他方の面側へ物品の形状に沿って本体部を変形させつつ物品を包み込む包装材であって、
一方向に延びる帯状に形成されると共に本体部の一方の面に重なるように配置されて幅方向の一端部が本体部に連結されることで本体部の一方の面から延出するように構成された帯状延出部を更に備えており、
該帯状延出部は、本体部で物品を包み込む際に、長手方向の両端部よりも中央側の領域が物品の前記一方の面側に位置し、長手方向の両端部が物品の前記一方の面よりも前記他方の面側に位置するように構成されており、
本体部は、物品を包み込む際に、帯状延出部と重なり合う領域が物品に沿って配置されて帯状延出部から離間するように構成される包装材。
【請求項２】
前記一方向に伸びる第一帯状部と、該一方向に交差する他方向において第一帯状部と並列して配置されると共に前記一方向に伸びる第二帯状部と、第一帯状部及び第二帯状部よりも細幅に形成されると共に前記一方向に伸びる第三帯状部とを備えており、
第二帯状部は、第一帯状部よりも本体部の他方の面側で第一帯状部と重なり合う重合領域と、第一帯状部と重なり合わない非重合領域とを備えており、
第三帯状部は、第一帯状部と第二帯状部とが重なり合う位置で第一帯状部と第二帯状部との間に配置されており、
前記帯状延出部は、第一帯状部と第三帯状部とが対向するように配置されることで形成されており、
前記本体部は、第一帯状部における第三帯状部と対向しない領域と第二帯状部とによって形成される請求項１に記載の包装材。
【請求項３】
前記第一帯状部、第二帯状部、及び、第三帯状部は、一枚のシート材から形成されており、
該シート材が本体部の他方の面になる側へ折り返されることで前記一方向に伸びるように形成される第一折返端部を介して第一帯状部における第二帯状部側の一側端部と第三帯状部の幅方向の一側端部とが連結されており、
該シート材が本体部の一方の面になる側へ折り返されることで前記一方向に伸びるように形成される第二折返端部を介して第二帯状部における第一帯状部側の一側端部と第三帯状部の幅方向の他側端部とが連結される請求項２に記載の包装材。
【請求項４】
前記帯状延出部は、第一帯状部及び第三帯状部における対向する各面の少なくとも一部同士が連結されて形成される請求項２又は３に記載の包装材。
【請求項５】
前記本体部は、前記一方向に交差する他方向に帯状延出部から離間した位置で前記一方向に延びる切断予定線に沿って切断可能に構成される請求項１乃至４の何れか一項に記載の包装材。
【請求項６】
請求項１乃至５の何れか一項に記載の包装材を用いて物品が包装されてなる包装体。
【発明の詳細な説明】
【技術分野】
【０００１】
本発明は、シート状に形成されて物品を包み込んで包装する包装材と、該包装材を用いて物品が包装されてなる包装体に関する。
【背景技術】
【０００２】
従来から、シート材を用いて形成された包装材で物品を包み込んで形成される包装体が店頭販売されている。このような包装体を形成する包装材は、一方の面が外側となるように物品を包み込む本体部を備える。そして、該本体部を物品における対向する一方の面側から他方の面側へ向かって物品の形状に沿って変形させつつ物品を包み込むことで包装体が形成される（特許文献１参照）。
【０００３】
上記のような包装体では、包装材における物品の前記一方の面に重なる領域（以下、前側領域とも記す）には、シワや包装材の重なりが形成され難いため、斯かる前側領域に物品の情報を表示したり装飾を施したりする場合がある。そして、このような包装体を店頭販売する際には、前側領域が上を向くように平面上に包装体が載置されることが一般的である。
【先行技術文献】
【特許文献】
【０００４】
【特許文献１】特開２００３−２２１０６２号公報
【発明の概要】
【発明が解決しようとする課題】
【０００５】
しかしながら、上記のように包装材の前側領域が上を向くように包装体が配置されると、包装体の配置される高さによっては、前側領域を視認し難くなる。このため、前面領域が上下方向に対して交差する方向を向くように、包装体を配置することが要求される場合がある。
【０００６】
そこで、本発明は、包装材の前側領域が上下方向に対して交差する方向を向くように包装体を配置することができる包装材を提供することを課題とする。また、斯かる包装材を用いて包装された包装体を提供することを課題とする。
【課題を解決するための手段】
【０００７】
本発明に係る包装材は、シート状に形成されて一方の面が外側となるように物品を包み込む本体部を備えており、物品における対向する一方の面側から他方の面側へ物品の形状に沿って本体部を変形させつつ物品を包み込む包装材であって、一方向に延びる帯状に形成されると共に本体部の一方の面に重なるように配置されて幅方向の一端部が本体部に連結されることで本体部の一方の面から延出するように構成された帯状延出部を更に備えており、該帯状延出部は、本体部で物品を包み込む際に、長手方向の両端部よりも中央側の領域が物品の前記一方の面側に位置し、長手方向の両端部が物品の前記一方の面よりも前記他方の面側に位置するように構成されており、本体部は、物品を包み込む際に、帯状延出部と重なり合う領域が物品に沿って配置されて帯状延出部から離間するように構成される。
【０００８】
斯かる構成によれば、包装材で物品を包装して包装体を形成する際に、帯状延出部は、長手方向の両端部よりも中央側の領域が物品の前記一方の面側に位置し、長手方向の両端部が物品の前記他方の面側に位置するように構成される。また、包装体を形成する際に、本体部は、帯状延出部と重なり合う領域が物品に沿って配置されて帯状延出部から離間するように構成される。このため、包装体が形成された状態において、帯状延出部は、本体部との連結位置よりも延出方向側の領域が本体部から離れた状態で、物品の一方の面側から他方の面側に亘ってＵ字状又は略環状に配置される。これにより、包装体における物品を納めた部分からＵ字状又は略環状の帯状延出部が突出した状態になる。そして、Ｕ字状又は略環状の帯状延出部を下方にして包装体を平面上に載置することで、帯状延出部が包装体の脚部となるため、包装材における物品の一方の面と重なる領域（以下、前側領域とも記す）が上下方向に対して交差する方向に向くように、包装体の姿勢を安定して維持することができる。
【０００９】
前記一方向に伸びる第一帯状部と、該一方向に交差する他方向において第一帯状部と並列して配置されると共に前記一方向に伸びる第二帯状部と、第一帯状部及び第二帯状部よりも細幅に形成されると共に前記一方向に伸びる第三帯状部とを備えており、第二帯状部は、第一帯状部よりも本体部の他方の面側で第一帯状部と重なり合う重合領域と、第一帯状部と重なり合わない非重合領域とを備えており、第三帯状部は、第一帯状部と第二帯状部とが重なり合う位置で第一帯状部と第二帯状部との間に配置されており、
前記帯状延出部は、第一帯状部と第三帯状部とが対向するように配置されることで形成されており、前記本体部は、第一帯状部における第三帯状部と対向しない領域と第二帯状部とによって形成されることが好ましい。
【００１０】
斯かる構成によれば、第三帯状部と第一帯状部とが対向するように配置されることで帯状延出部が形成される。これにより、帯状延出部によって形成される脚部のコシが増すため、包装材の前側領域が上下方向に対して交差する方向に向くように、より安定して包装体の姿勢を維持することができる。
【００１１】
前記第一帯状部、第二帯状部、及び、第三帯状部は、一枚のシート材から形成されており、該シート材が本体部の他方の面になる側へ折り返されることで前記一方向に伸びるように形成される第一折返端部を介して第一帯状部における第二帯状部側の一側端部と第三帯状部の幅方向の一側端部とが連結されており、該シート材が本体部の一方の面になる側へ折り返されることで前記一方向に伸びるように形成される第二折返端部を介して第二帯状部における第一帯状部側の一側端部と第三帯状部の幅方向の他側端部とが連結されることが好ましい。
【００１２】
斯かる構成によれば、一枚のシート材を折り返して第一帯状部、第二帯状部、及び、第三帯状部が形成されるため、包装材の製造を容易に行うことが可能となる。また、第一折返端部を介して第一帯状部における第二帯状部側の一側端部と第三帯状部の幅方向の一側端部とが連結されるため、帯状延出部の延出方向の先端部に第一折返端部が位置することになる。これにより、帯状延出部によって形成される脚部のコシが増すため、包装材の前側領域が上下方向に対して交差する方向に向くように、より安定して包装体の姿勢を維持することができる。
【００１３】
前記帯状延出部は、第一帯状部及び第三帯状部における対向する各面の少なくとも一部同士が連結されて形成されることが好ましい。
【００１４】
斯かる構成によれば、帯状延出部は、第一帯状部及び第三帯状部における対向する各面の少なくとも一部同士が連結されて形成される。これにより、第一帯状部と第三帯状部とが分離しなくなるため、帯状延出部によって形成される脚部のコシが増し、包装材の前側領域が上下方向に対して交差する方向に向くように、より安定して包装体の姿勢を維持することができる。
【００１５】
前記本体部は、前記一方向に交差する他方向に帯状延出部から離間した位置で前記一方向に延びる切断予定線に沿って切断可能に構成されることが好ましい。
【００１６】
斯かる構成によれば、本体部を前記一方向に延びる切断予定線に沿って切断することで、帯状延出部の延びる方向に対して交差する方向（即ち、前記他方向）に本体部が二つに分割される。これにより、本体部が分割されて形成される少なくとも一方の側が帯状延出部を備えることになる。このため、帯状延出部を摘んで、本体部の一方の側を他方の側から離れる方向へ引っ張ることで、包装材によって包み込まれた物品を容易に取り出すことができる。
【００１７】
本発明に係る包装体は、上記何れかに記載の包装材を用いて物品が包装されてなる。
【発明の効果】
【００１８】
以上のように、本発明によれば、包装材の前側領域が上下方向に対して交差する方向を向くように包装体を配置することができる。
【図面の簡単な説明】
【００１９】
【図１】本発明の一実施形態に係る包装材を示した斜視図。
【図２】図１のＩ−Ｉ断面を示した斜視図。
【図３】同実施形態に係る包装材で物品が包装されてなる包装体を示した斜視図。
【図４】図３のＩＩ−ＩＩ断面を示した断面図。
【図５】本発明の他の実施形態に係る包装材を示した斜視図。
【発明を実施するための形態】
【００２０】
以下に、本発明に係る包装材の一実施形態について、図１〜４に基づいて説明する。なお、以下の説明では、一方向とは、各図の座標軸におけるｘ軸に沿った方向であり、前記一方向に交差する他方向とは、各図の座標軸におけるｙ軸に沿った方向である。また、以下の図面において同一または相当する部分には同一の参照符号を付しその説明は繰り返さない。
【００２１】
本実施形態に係る包装材１は、図１に示すように、シート状に形成される。また、包装材１は、一方の面が外側となるように、米飯加工食品等（例えば、おにぎり等）の物品を包み込む本体部２を備える。また、包装材１は、一方向（以下、第一方向とも記す）に延びる帯状に形成されると共に本体部２の一方の面から延出する帯状延出部３を更に備える。本実施形態では、包装材１は、第一方向に交差する他方向（以下、第二方向とも記す）における本体部２の一端側に帯状延出部３を一つ備える。
【００２２】
本体部２は、第一方向に延びる切断予定線（仮想線）上で切断可能に構成される。具体的には、本体部２は、第一方向に延びるように配置されるカットテープ２ａを備える。つまり、カットテープ２ａは、帯状延出部３の長手方向に沿って配置される。また、カットテープ２ａは、帯状延出部３から第二方向へ離間した位置に配置される。また、本体部２は、本体部２を貫通する切り込み線２ｂを備える。該切り込み線２ｂは、第一方向に開放する凹状に形成される。これにより、切り込み線２ｂの内側に指などで摘むことが可能な摘み部２ｃが形成される。そして、切り込み線２ｂの両端部間にカットテープ２ａが位置する（具体的には、摘み部２ｃとカットテープ２ａとが重なる）ように構成される。また、本体部２は、他方の面側（物品を包み込む際の物品側）から切り込み線２ｂを覆うシート片２ｄを備える。
【００２３】
これにより、本体部２は、第二方向に分割可能に構成される。具体的には、本体部２は、帯状延出部３から第二方向へ離間した位置（具体的には、第二方向における本体部２の他端側へ離間した位置）で、第二方向の一端側と他端側とに分割可能に構成される。より詳しくは、第一方向における本体部２の一端側から他端側へ向かって摘み部２ｃを引っ張ることで、本体部２は、切り込み線２ｂの端部を起点にカットテープ２ａの外側の切断予定線上でカットテープ２ａに沿って切断されるように構成される。これにより、本体部２が第二方向に分割可能に構成される。
【００２４】
帯状延出部３は、本体部２の一方の面に重なるように配置される。また、帯状延出部３は、第二方向における本体部２の中央部（具体的には、カットテープ２ａ及び切り込み線２ｂ）よりも第二方向の一端側に配置される。また、帯状延出部３は、第二方向における本体部２の一端側へ向かって本体部２から延出するように構成される。具体的には、帯状延出部３は、幅方向の一端部が本体部２に連結され、幅方向の他端部が一端部よりも第二方向における本体部２の一端側に位置するように構成される。
【００２５】
また、包装材１は、第一方向に伸びる第一帯状部１ａと、第二方向において第一帯状部１ａと並列して配置されると共に第一方向に伸びる第二帯状部１ｂと、第一帯状部１ａ及び第二帯状部１ｂよりも細幅に形成されると共に第一方向に伸びる第三帯状部１ｃとを備える。
【００２６】
第一帯状部１ａは、帯状延出部３から第二方向に離間した位置で分割可能に構成される。具体的には、第一帯状部１ａは、第二方向の略中央部にカットテープ２ａ、及び、切り込み線２ｂ（摘み部２ｃ）を備える。また第一帯状部１ａは、図２に示すように、第二方向の一側端部１ａ１が帯状延出部３の一部を構成する。
【００２７】
第二帯状部１ｂは、第一帯状部１ａ側の一側端部１ｂ１が第一帯状部１ａよりも本体部２の他方の面側に配置される。また、第二帯状部１ｂは、第一帯状部１ａ側の一側端部１ｂ１が第一帯状部１ａの一側端部１ａ１と重なるように配置される。つまり、第二帯状部１ｂは、第一帯状部１ａと重なり合う重合領域１ｂ２と、第一帯状部１ａと重なり合わない非重合領域１ｂ３とを備える。
【００２８】
第三帯状部１ｃは、第一帯状部１ａと第二帯状部１ｂとの重なる位置で第一帯状部１ａと第二帯状部１ｂとの間に配置される。具体的には、第三帯状部１ｃは、第一帯状部１ａよりも本体部２の他方の面側に配置されると共に、第二帯状部１ｂよりも本体部２の一方の面側に配置される。また、第三帯状部１ｃは、第二方向における第一帯状部１ａの一側端部１ａ１と重なるように配置されると共に、第二帯状部１ｂの第一帯状部１ａ側の一側端部１ｂ１（具体的には、重合領域１ｂ２）と重なるように配置される。
【００２９】
そして、第一帯状部１ａ（具体的には、一側端部１ａ１）と第三帯状部１ｃとが対向するように配置されることで帯状延出部３が形成される。また、第一帯状部１ａにおける第三帯状部１ｃと対向しない領域（帯状延出部３を形成しない領域）１ａ２と第二帯状部１ｂとによって本体部２が形成される。帯状延出部３は、第一帯状部１ａ（一側端部１ａ１）及び第三帯状部１ｃにおける対向する各面の少なくとも一部同士（好ましくは、全域）が連結されることで形状が維持される。なお、第一帯状部１ａ（一側端部１ａ１）及び第三帯状部１ｃにおける対向する各面同士を連結する方法としては、特に限定されるものではなく、例えば、ヒートシールによって連結されてもよく、粘着剤や両面テープ等を用いて連結されてもよい。
【００３０】
また、包装材１は、シート材が本体部２の他方の面になる側へ折り返されることで形成される第一折返端部１ｄを備える。該第一折返端部１ｄは、第一方向に伸びるように形成される。そして、第二方向における第一帯状部１ａの一側端部１ａ１と第三帯状部１ｃの幅方向の一側端部１ｃ１とが第一折返端部１ｄを介して連結される。また、包装材１は、シート材が本体部２の一方の面になる側へ折り返されることで形成される第二折返端部１ｅを備える。該第二折返端部１ｅは、第一方向に伸びるように形成される。そして、第二帯状部１ｂにおける第一帯状部１ａ側の一側端部１ｂ１と第三帯状部の幅方向の他側端部１ｃ２とが第二折返端部１ｅを介して連結される。
【００３１】
つまり、包装材１（具体的には、第一帯状部１ａ、第二帯状部１ｂ、及び、第三帯状部１ｃ）は、一枚のシート材から形成される。具体的には、シート材における本体部２の他方の面になる側へ第一方向に沿ってシート材が折り返されることで第一帯状部１ａと第一折返端部１ｄとが形成される。また、第二方向における第一折返端部１ｄよりもシート材の一端側の位置で、シート材における本体部２の一方の面になる側へ第一方向に沿ってシート材が折り返されることで第二帯状部１ｂ、第三帯状部１ｃ、及び、第二折返端部１ｅが形成される。
【００３２】
上記のように構成される包装材１を用いて物品を包装する際には、本体部２の一方の面（帯状延出部３が延出する側の面）が外側になるように物品を包み込む。また、包装材１を用いて物品を包装する際には、物品の形状に沿って包装材１（具体的には、本体部２）を変形させる。
【００３３】
具体的には、図３に示すように、物品Ｘにおける対向する一方の面Ｘ１側から他方の面Ｘ２側へ物品Ｘの形状に沿って本体部２を変形させて物品Ｘを包み込む。そして、本体部２における物品Ｘの他方の面Ｘ２上で重なる領域を跨ぐように商品情報等が印字されたラベル（図示せず）を貼り付けることで、包装材１で物品Ｘが包装された状態（包装体１０）が形成される。
【００３４】
この際、帯状延出部３は、長手方向の両端部よりも中央側の領域が物品Ｘの一方の面Ｘ１側に位置し、長手方向の両端部が物品Ｘの一方の面Ｘ１よりも他方の面Ｘ２側に位置する。これにより、帯状延出部３が物品Ｘを囲むようにＵ字状又は略環状（本実施形態では、略環状）に形成される。また、本体部２は、図４に示すように、物品Ｘを包み込む際に、帯状延出部３と重なり合う領域（即ち、重合領域１ｂ２）が物品Ｘに沿って配置されて帯状延出部３から離間する。これにより、帯状延出部３によって脚部１ｆが形成される。
【００３５】
上記のように形成される包装体１０は、脚部１ｆを下方にして陳列棚等に載置される。この際、包装体１０が載置される載置面に脚部１ｆが接した状態になるため、図３に示すように、包装材１における物品Ｘの一方の面Ｘ１に重なる領域（以下、前側領域とも記す）が上下方向（図３のｙ軸方向）に対して交差する方向に向くように（好ましくは、上下方向に沿うように）包装体１０の姿勢が維持される。
【００３６】
そして、包装体１０から物品Ｘを取り出す際には、摘み部２ｃをカットテープ２ａに沿って引っ張ることで、カットテープ２ａの両側の切断予定線上でカットテープ２ａに沿って本体部２が切断され、カットテープ２ａに重なる領域が他の領域から切除される。これにより、包装材１は、第二方向に分割される。そして、包装材１における切断された部分を境に、包装材１の一方の側が備える帯状延出部３を摘んで該一方の側を他方の側から離間させるように引っ張ることで、包装材１を物品Ｘから取り除くことができる。
【００３７】
以上のように、本実施形態に係る包装材１は、前側領域が上下方向に対して交差する方向を向くように包装体１０を配置することができる。
【００３８】
即ち、包装材１で物品Ｘを包装して包装体１０を形成する際に、帯状延出部３は、長手方向の両端部よりも中央側の領域が物品Ｘの前記一方の面側に位置し、長手方向の両端部が物品Ｘの前記他方の面側に位置するように構成される。また、包装体１０を形成する際に、本体部２は、帯状延出部３と重なり合う領域が物品Ｘに沿って配置されて帯状延出部３から離間するように構成される。このため、包装体１０が形成された状態において、帯状延出部３は、本体部２との連結位置よりも延出方向側の領域が本体部２から離れた状態で、物品Ｘの一方の面側から他方の面側に亘ってＵ字状又は略環状に配置される。これにより、包装体１０における物品Ｘを納めた部分からＵ字状又は略環状の帯状延出部３が突出した状態になる。そして、Ｕ字状又は略環状の帯状延出部３を下方にして包装体１０を平面上に載置することで、帯状延出部３が包装体１０の脚部１ｆとなるため、包装材１の前側領域が上下方向に対して交差する方向に向くように、包装体１０の姿勢を安定して維持することができる。
【００３９】
また、第三帯状部１ｃと第一帯状部１ａとが対向するように配置されることで帯状延出部３が形成される。これにより、帯状延出部３によって形成される脚部１ｆのコシが増すため、包装材１の前側領域が上下方向に対して交差する方向に向くように、より安定して包装体１０の姿勢を維持することができる。
【００４０】
また、一枚のシート材を折り返して第一帯状部１ａ、第二帯状部１ｂ、及び、第三帯状部１ｃが形成されるため、包装材１の製造を容易に行うことが可能となる。また、第一折返端部１ｄを介して第一帯状部１ａにおける第二帯状部１ｂ側の一側端部１ａ１と第三帯状部１ｃの幅方向の一側端部１ｃ１とが連結されるため、帯状延出部３の延出方向の先端部に第一折返端部１ｄが位置することになる。これにより、帯状延出部３によって形成される脚部１ｆのコシが増すため、包装材１の前側領域が上下方向に対して交差する方向に向くように、より安定して包装体１０の姿勢を維持することができる。
【００４１】
また、帯状延出部３は、第一帯状部１ａ及び第三帯状部１ｃにおける対向する各面の少なくとも一部同士が連結されて形成される。これにより、第一帯状部１ａと第三帯状部１ｃとが分離しなくなるため、帯状延出部３によって形成される脚部１ｆのコシが増し、包装材１の前側領域が上下方向に対して交差する方向に向くように、より安定して包装体１０の姿勢を維持することができる。
【００４２】
また、本体部２を第一方向に延びる切断予定線に沿って切断することで、帯状延出部３の延びる方向に対して交差する方向（即ち、第二方向）に本体部２が二つに分割される。これにより、本体部２が分割されて形成される少なくとも一方の側が帯状延出部３を備えることになる。このため、帯状延出部３を摘んで、本体部２の一方の側を他方の側から離れる方向へ引っ張ることで、包装材１によって包み込まれた物品Ｘを容易に取り出すことができる。
【００４３】
なお、本発明に係る包装材、及び、包装体は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４４】
例えば、上記実施形態では、一枚のシート材が折り返されることで、包装材１が形成されているが、これに限定されるものではない。例えば、本体部２を形成する一のシート材と、帯状延出部３を形成する他のシート材とを用い、本体部２を形成する一のシート材の一方の面から帯状延出部３を形成する他のシート材が延出するように、一枚のシート材に他のシート材が取り付けられることで、包装材が形成されてもよい。斯かる場合には、帯状延出部３は、例えば、シート材が第一方向に沿って２つ折りにされたものであってもよく、平面状であってもよい。
【００４５】
また、上記実施形態では、包装材１は、一つの帯状延出部３を備えるように構成されているが、これに限定されるものではなく、例えば、図５に示すように、第二方向に間隔を空けて一対の帯状延出部３，３を備えるように構成してもよい。
【００４６】
また、上記実施形態では、本体部２は、第一方向に延びる切断予定線に沿って切断可能に構成されているが、これに限定されるものではなく、例えば、第二方向に延びる切断予定線に沿って切断可能に構成されてもよい。具体的には、図５に示すように、一対の帯状延出部３，３が形成される場合には、カットテープ２ａを第二方向の延びるよう配置し（即ち、第二方向に延びる切断予定線に沿って本体部２を切断可能に構成し）、凹状の切り込み線２ｂの開放方向が第二方向における一方の帯状延出部３側に向くように構成してもよい。また、他方の帯状延出部３に切り込み線２ｂが形成されてもよい。斯かる場合には、切り込み線２ｂは、第一帯状部１ａにおける他方の帯状延出部３を構成する領域に形成されると共に該他方の帯状延出部３を構成する第三帯状部１ｃによって第二帯状部１ｂ側から覆われた状態となる。これにより、上記の実施形態のように、シート片２ｄを別体として設置することなく、切り込み線２ｂからの異物の侵入を第三帯状部１ｃによって防止することができる。このため、包装材を製造するためのコストを抑えることができる。
【００４７】
また、上記実施形態では、包装材１は、一枚のシート材が折り返されることで形成されているが、これに限定されるものではなく、例えば、第一帯状部１ａ、第二帯状部１ｂ、及び、第三帯状部１ｃが別々のシート材から構成され、各シート材をヒートシールや粘着剤等の連結手段で連結することで、包装材１が形成されてもよい。
【００４８】
また、上記各実施形態では、カットテープ２ａの外側で（即ち、二つの切断予定線上で）本体部２が切断されるように構成されているが、これに限定されるものではなく、例えば、第一方向に伸びる一つの切断予定線上で本体部２が切断されるように構成されてもよい。具体的には、カットテープ２ａを備えない場合において、本体部２に第一方向に延びる溝を形成し、該溝の位置で該溝に沿って本体部２を破断することで、本体部２を第二方向に分割してもよい。又は、切断方向性を有するフィルムで本体部２を形成することで、切り込み線２ｂの端部を起点に第一方向に沿って本体部２を切断するように構成してもよい。
【符号の説明】
【００４９】
１…包装材、１ａ…第一帯状部、１ａ１…一側端部、１ｂ…第二帯状部、１ｂ１…一側端部、１ｂ２…重合領域、１ｂ３…非重合領域、１ｃ…第三帯状部、１ｃ１…一側端部、１ｃ２…他側端部、１ｄ…第一折返端部、１ｅ…第二折返端部、１ｆ…脚部、２…本体部、２ａ…カットテープ、２ｂ…切り込み線、２ｃ…摘み部、２ｄ…シート片、３…帯状延出部、１０…包装体、Ｘ…物品、Ｘ１…一方の面、Ｘ２…他方の面
【図１】
2019119455.tif 000003
【図２】
2019119455.tif 000004
【図３】
2019119455.tif 000005
【図４】
2019119455.tif 000006
【図５】
2019119455.tif 000007